(57)【特許請求の範囲】
【請求項１】
圧縮空気を供給する圧縮空気供給手段と、
水を供給する水供給手段と、
洗剤を供給する洗剤供給手段と、
これら圧縮空気供給手段、水供給手段および洗剤供給手段に接続されるとともにノズルを有し、圧縮空気と水とを混合させて前記ノズルから噴出させる状態と、圧縮空気と洗剤とを混合させて前記ノズルから噴出させる状態とに切り換え可能な洗浄ガンと、を具備し、
前記洗浄ガンには、前記ノズルの外側にガイド筒が設けられ、前記ノズルには、噴出時に該ノズルの噴出先端側に往復運動を生じさせる可撓性を有する偏平部が形成され、
前記圧縮空気供給手段、水供給手段および洗剤供給手段は、移動可能な台車に載置され、前記水供給手段は水を貯留させる水タンクを有しており、前記洗剤供給手段は洗剤を貯留させる洗剤タンクを有していて、これら水タンクおよび洗剤タンクを、台車の幅方向に長手方向を沿わせた状態で設けられた前記圧縮空気供給手段の上側に並列配置させ、水タンクおよび洗剤タンクの軸線方向を前記台車の上下方向に沿わせてなることを特徴とする洗浄装置。
【請求項２】
前記洗浄ガンは、さらに、圧縮空気のみを前記ノズルから噴出させる状態に切り換え可能であることを特徴とする請求項１記載の洗浄装置。
【請求項３】
前記洗浄ガンは、さらに、圧縮空気と水と洗剤とを混合させて噴出させる状態に切り換え可能であることを特徴とする請求項１または２記載の洗浄装置。
【発明の詳細な説明】
【０００１】
【発明の属する技術分野】
本発明は、被洗浄物に対し洗剤や水を噴出させて洗浄を行う洗浄装置に関する。
【０００２】
【従来の技術】
自動車やオートバイ、自転車等の被洗浄物に対し洗剤や水を噴出させて洗浄を行う洗浄装置が用いられている。このような洗浄装置の従来のものにおいては、被洗浄物に対して洗剤や水を噴き付ける場合に、ポンプで吐出した洗剤や水をそのままノズルから噴出させるようになっている。
【０００３】
【発明が解決しようとする課題】
ところで、汚れを落とすための洗剤を、上記のようにポンプで吐出してノズルから噴出させるのでは、その泡立ちが十分ではなく、大量に使用しなければ十分に汚れを落とすことができないという問題があった。また、洗剤を洗い流すための水も、ポンプで吐出してノズルから噴出させるのでは、大量に使用しなければ十分に洗剤を洗い流すことができないという問題があった。
【０００４】
したがって、本発明の目的は、最小限の洗剤で汚れを確実に落とすことができ、また最小限の水で洗剤を確実に洗い流すことができる洗浄装置を提供することである。
【０００５】
【課題を解決するための手段】
上記目的を達成するため、本発明の請求項１記載の洗浄装置は、圧縮空気を供給する圧縮空気供給手段と、水を供給する水供給手段と、洗剤を供給する洗剤供給手段と、これら圧縮空気供給手段、水供給手段および洗剤供給手段に接続されるとともにノズルを有し、圧縮空気と水とを混合させて前記ノズルから噴出させる状態と、圧縮空気と洗剤とを混合させて前記ノズルから噴出させる状態とに切り換え可能な洗浄ガンと、を具備し、前記洗浄ガンには、前記ノズルの外側にガイド筒が設けられ、前記ノズルには、噴出時に該ノズルの噴出先端側に往復運動を生じさせる可撓性を有する偏平部が形成され、前記水供給手段は水を貯留させる水タンクを有しており、前記洗剤供給手段は洗剤を貯留させる洗剤タンクを有していて、これら水タンクおよび洗剤タンクを、台車の幅方向に長手方向を沿わせた状態で設けられた前記圧縮空気供給手段の上側に並列配置させ、水タンクおよび洗剤タンクの軸線方向を前記台車の上下方向に沿わせてなることを特徴とする。
【０００６】
これにより、洗剤を噴出させる際に、洗浄ガンを圧縮空気と洗剤とを混合させてノズルから噴出させる状態に切り換えると、洗浄ガンのノズルから洗剤が圧縮空気と混合され泡状となって噴出する。そして、この噴出時に、ノズルを流れる泡の力で、ノズルが、その偏平部を偏平方向において湾曲させつつ噴出先端側に往復運動を生じることになる。このノズルの往復運動で、ノズルから噴出される泡がさらに空気中で細かい泡となって、被洗浄物に到達する。また、水を噴出させる際にも、洗浄ガンを圧縮空気と水とを混合させてノズルから噴出させる状態に切り換えると、洗浄ガンのノズルから水が圧縮空気と混合され霧状となって噴出する。そして、この噴出時に、ノズルを流れる水および圧縮空気の力で、ノズルが、その偏平部を偏平方向において湾曲させつつ噴出先端側に往復運動を生じることになる。このノズルの往復運動で、ノズルから噴出される水がさらに空気中で細かい霧状となって、被洗浄物に到達する。
さらに、ノズルがその偏平部を偏平方向において湾曲させつつ噴出先端側に往復運動を生じる際に、ガイド筒によって往復運動の範囲が決められることになる。
そして、圧縮空気供給手段、水供給手段および洗剤供給手段が、移動可能な台車に載置されているため、台車を移動させることで、洗浄場所を容易に変えることができる。
また、水タンクおよび洗剤タンクを、台車上の圧縮空気供給手段の上側に並列配置させているため、全体を小型化することができる。
【０００７】
本発明の請求項２記載の洗浄装置は、請求項１記載のものに関して、前記洗浄ガンは、さらに、圧縮空気のみを前記ノズルから噴出させる状態に切り換え可能であることを特徴としている。
【０００８】
これにより、洗浄ガンを圧縮空気のみをノズルから噴出させる状態に切り換えると、洗浄ガンのノズルから圧縮空気が噴出する。そして、この噴出時に、ノズルを流れる圧縮空気の力で、ノズルが、その偏平部を偏平方向において湾曲させつつ噴出先端側に往復運動を生じることになる。このノズルの往復運動で、圧縮空気がより大きな噴出力でノズルから噴出されることになる。
【０００９】
本発明の請求項３記載の洗浄装置は、請求項１または２記載のものに関して、前記洗浄ガンは、さらに、圧縮空気と水と洗剤とを混合させて噴出させる状態に切り換え可能であることを特徴としている。
【００１０】
これにより、洗浄ガンを圧縮空気と水と洗剤とを混合させて噴出させる状態に切り換えると、水で濃度が調整された洗剤が圧縮空気と混合されて洗浄ガンのノズルから噴出する。
【００１７】
【発明の実施の形態】
本発明の一の実施の形態を図面を参照して以下に説明する。
図１および図２は、この実施の形態の洗浄装置１１を示すもので、この洗浄装置１１は、圧縮空気を発生させるエアコンプレッサ（圧縮空気供給手段，水供給手段，洗剤供給手段）１２と、水を貯留させる略円筒状の水タンク（水供給手段）１３と、洗剤を貯留させる略円筒状の洗剤タンク（洗剤供給手段）１４と、これらエアコンプレッサ１２、水タンク１３および洗剤タンク１４を載置させる台車１５と、これらエアコンプレッサ１２、水タンク１３および洗剤タンク１４に連結される洗浄ガン１６とを有している。
【００１８】
台車１５は、フレーム１８と、該フレーム１８に取り付けられた下棚部１９および上棚部２０とを有している。
フレーム１８は、互いに平行な三本の支柱部２２，２３，２４、これら支柱部２２，２３，２４の上端部を連結させる把持部２６、両側の支柱部２２，２４の下部からこれらに直角をなして側方に延出する側方延出部２８，２９、これら側方延出部２８，２９の延出先端部同士を連結させる連結部３１、両側の支柱部２２，２４の中間部からこれらに直角をなして側方に延出する側方延出部３３，３４、これら側方延出部３３，３４の延出先端部同士を連結させる連結部３６とを有している。なお、支柱部２２，２３，２４の上棚部２０より把持部２６側の一部は、上棚部２０に対し反対方向に傾斜されている。
【００１９】
下棚部１９は、支柱部２２，２３，２４に直角をなして側方に延出するように側方延出部２８，２９および連結部３１に取り付けられており、上棚部２０は、支柱部２２，２３，２４に直角をなして側方（下棚部１９と同側）に延出するように側方延出部３３，３４および連結部３６に取り付けられている。
フレーム１８の支柱部２２，２３，２４側の下部には、台車１５を走行させるためのローラ３８が、支柱部２２，２３，２４の配列方向に回転軸線を配置した状態で回転自在に支持されている。
【００２０】
エアコンプレッサ１２は、その長手方向を支柱部２２，２３，２４の配列方向に沿わせた状態で下棚部１９上に取り付けられている。
上棚部２０上（すなわちエアコンプレッサ１２の上側）には、水タンク１３および洗剤タンク１４が、それぞれの軸線方向を支柱部２２等の延在方向に沿わせ、互いの配列方向を支柱部２２，２３，２４の配列方向に合わせた状態で並列に配置されている。
【００２１】
具体的に、水タンク１３は、上棚部２０に載置され一側の支柱部２２と中央の支柱部２３との間にはめ込まれた状態で、該水タンク１３の支柱部２２，２３に対し反対側に巻かれ両端がこれら支柱部２２，２３に取り付けられるバンド４０によって固定されている。
【００２２】
また、洗剤タンク１４は、上棚部２０に載置され他側の支柱部２４と中央の支柱部２３との間にはめ込まれた状態で、該洗剤タンク１４の支柱部２３，２４に対し反対側に巻かれ両端がこれら支柱部２３，２４に取り付けられるバンド４１によって固定されている。
【００２３】
エアコンプレッサ１２から圧縮空気を供給する配管４３は、水タンク１３の上部に取り付けられた連結部材４４に連結されており、該連結部材４４には配管４５および配管４６が連結されている。そして、配管４５は、洗剤タンク１４の上部に取り付けられた連結部材４７に連結されており、配管４６は洗浄ガン１６に連結されている。なお、連結部材４４には、配管４３を開閉する開閉弁４４ａが設けられており、連結部材４７には、配管４５を開閉する開閉弁４７ａが設けられている。
【００２４】
ここで、エアコンプレッサ１２から吐出された圧縮空気は、配管４３および連結部材４４を介して水タンク１３内に導入されており、該水タンク１３の内部に貯留された水にこれを吐出させるための圧力を付与している。この圧縮空気の圧力で吐出される水は、水タンク１３の上部に取り付けられた連結部材４９および配管５０を介して洗浄ガン１６に導入されている。なお、連結部材４９には、配管５０を開閉する開閉弁４９ａが設けられている。
【００２５】
また、エアコンプレッサ１２から吐出された圧縮空気は、配管４３、連結部材４４、配管４５および洗剤タンク１４の上部に取り付けられた連結部材４７を介して洗剤タンク１４内に導入されており、該洗剤タンク１４の内部に貯留された洗剤にこれを吐出させるための圧力を付与している。この圧縮空気の圧力で吐出される洗剤は、洗剤タンク１４の上部に取り付けられた連結部材５２および配管５３を介して洗浄ガン１６に導入されている。なお、連結部材５２には、配管５３を開閉する開閉弁５２ａが設けられている。
さらに、エアコンプレッサ１２から吐出された圧縮空気は、配管４３、連結部材４４および配管４６を介して洗浄ガン１６に導入されている。
【００２６】
洗浄ガン１６は、図３および図４に示すように、作業者により把持される把持部５５と、該把持部５５に略平行するように揺動自在に設けられたレバー５６とを有するガン本体５７と、把持部５５の後端部に取り付けられた連結部材５８とを有しており、レバー５６を下側に配置し把持部５５を上側にした状態で作業者に把持されるようになっている。
配管５０および配管５３は連結部材５８に連結され、配管４６はガン本体５７のレバー５６に対し反対側となる上部に連結されている。
【００２７】
そして、三つの配管４６，５０，５３は、ガン本体５７内の図示せぬ混合室に連通可能とされている。ここで、連結部材５８には、配管５０を開閉するとともにその開口量を調整可能な調整弁５８ａと、配管５３を開閉するとともにその開口量を調整可能な調整弁５８ｂとが設けられている。
【００２８】
また、洗浄ガン１６は、把持部５５の連結部材５８に対し反対側に、内部が混合室に連通可能とされたノズル５９が取り付けられている。
なお、レバー５６は、混合室とノズル５９との連通および連通遮断を切り換えるもので、具体的には、図示せぬスプリングの付勢力で把持部５５から離れた位置にある状態で、混合室とノズル５９との連通を遮断させる一方、図示せぬスプリングの付勢力に抗して把持部５５に近接する位置に揺動させられた状態で、混合室とノズル５９とを連通させる。
【００２９】
ノズル５９は、図５に示すように、長さ方向に沿って貫通する貫通孔６２を有する筒状のノズル本体６３と、該ノズル本体６３の一端側に設けられた重量部６４とを有するものである。
【００３０】
ノズル本体６３は、全体が例えばナイロン・テフロン・ポリウレタン・ポリプロピレン等の可撓性材料で略一定肉厚に一体成形されてなるもので、中間所定範囲に、長さ方向に直交する一方向における幅が、長さ方向に直交しかつ前記一方向に直交する方向における幅より小さくされているいわゆる偏平形状の偏平部６６が形成されており、該偏平部６６の両側すなわちノズル本体６３の両端の所定範囲には、それぞれ円筒状の円筒部６７，６８が形成されている。なお、偏平部６６は、ノズル本体６３がその長さ方向に沿って直線状をなした状態においても偏平形状をなしている。
重量部６４は、ノズル本体６３の一側の円筒部６７を内側に嵌合させる円筒状の部材からなるもので、シリコン等の伸縮性材料からなっている。
【００３１】
ガン本体５７の先端には取付部６９が設けられており、該取付部６９に上記ノズル５９が、重量部６４に対し反対側の円筒部６８を嵌合させた状態で取り付けられている。なお、このノズル５９は、例えば、把持部５５を上側にレバー５６を下側に配置した状態で偏平部６６の偏平方向（幅薄方向）が左右方向となるよう取り付けられており、該取付状態においてノズル本体６３に対する回転が規制されている。
【００３２】
洗浄ガン１６のノズル５９側には、該ノズル５９を覆うように筒状体７１が螺合により取り付けられている。この筒状体７１は、一端側が小径で他端側が大径となるようにテーパ状をなすテーパ筒部材７２と、該テーパ筒部材７２の小径側の内部にこれと同心状をなして固定された円筒状のガイド筒７３とで構成されており、テーパ筒部材７２の小径側において、ガン本体５７に取り付けられている。ここで、取付状態で、ガイド筒７３は、ノズル５９と略同心状をなして該ノズル５９のガン本体５７側の一部を外側から覆っている。また、取付状態で、テーパ筒部材７２は、ノズル５９と略同心状をなして該ノズル５９を全長にわたって外側から覆っている。
【００３３】
以上のような構成の洗浄装置１１によれば、使用に当って、まず連結部材４４，４７，４９，５２の開閉弁４４ａ，４７ａ，４９ａ，５２ａをすべて開くとともにエアコンプレッサ１２を駆動状態とする。
そして、連結部材５８の切換弁５８ｂを開きかつ切換弁５８ａを閉じた状態で、洗浄ガン１６のレバー５６を把持部５５側に引くと、洗浄ガン１６が圧縮空気と洗剤とを混合させてノズル５９から噴出させる状態になる。
【００３４】
すなわち、この状態では、エアコンプレッサ１２からの圧縮空気が洗浄ガン１６の混合室内に導入されるとともに、洗剤タンク１４からの洗剤が洗浄ガン１６の混合室に導入されて、これら圧縮空気と洗剤とが混合室内で混合されてノズル５９から泡状となって噴出する。そして、この噴出時に、ノズル５９内を流れる泡の力で、ノズル５９が、その偏平部６６を偏平方向において湾曲させつつ噴出先端側に高速の往復運動（約４０回／秒）を生じることになる。このノズル５９の高速往復運動で、ノズル５９内を通過する泡に波動が生じ激しい衝撃波となってノズル５９から噴出されることになる。よって、ノズル５９から噴出される泡が、さらに空気中で細かい泡となって被洗浄物に到達するとともに被洗浄物の奥方まで強い力で送り込まれることになる。
【００３５】
したがって、洗剤を十分にかつ細かく泡立たせることができるとともに被洗浄物の奥方まで強い力で送り込むことができるため、最小限の洗剤で被洗浄物の汚れを確実に落とすことができる。具体的には、それまで必要であった量の約１／２０の量の洗剤で汚れを落とすことができる。
【００３６】
他方、連結部材５８の切換弁５８ａを開きかつ切換弁５８ｂを閉じた状態として、洗浄ガン１６のレバー５６を把持部５５側に引くと、洗浄ガン１６が圧縮空気と水とを混合させてノズル５９から噴出させる状態に切り換わることになる。
【００３７】
すなわち、この状態では、エアコンプレッサ１２からの圧縮空気が洗浄ガン１６の混合室内に導入されるとともに、水タンク１３からの水が洗浄ガン１６の混合室に導入されて、これら圧縮空気と水とが混合室内で混合されてノズル５９から霧状となって噴出する。そして、この噴出時に、ノズル５９を流れる水および圧縮空気の力で、ノズル５９が、その偏平部６６を偏平方向において湾曲させつつ噴出先端側に高速の往復運動（約４０回／秒）を生じることになる。このノズル５９の高速往復運動で、ノズル５９内を通過する水に波動が生じ激しい衝撃波となってノズル５９から噴出されることになる。よって、ノズル５９から噴出される水が、さらに空気中で細かい霧となって被洗浄物に到達するとともに被洗浄物の奥方まで強い力で送り込まれることになる。
【００３８】
したがって、水を十分にかつ細かく霧状にすることができるとともに被洗浄物の奥方まで強い力で送り込むことができるため、最小限の水で被洗浄物の洗剤を確実に洗い流すことができる。具体的には、それまで必要であった量の約１／２０の量の水で洗剤を落とすことができる。
【００３９】
さらに、連結部材５８の切換弁５８ａ，５８ｂをともに閉じた状態として、洗浄ガン１６のレバー５６を把持部５５側に引くと、洗浄ガン１６が圧縮空気のみをノズル５９から噴出させる状態に切り換わることになる。すなわち、この状態では、エアコンプレッサ１２からの圧縮空気のみが洗浄ガン１６の混合室内に導入されて、ノズル５９から噴出する。そして、この噴出時に、ノズル５９を流れる圧縮空気の力で、ノズル５９が、その偏平部６６を偏平方向において湾曲させつつ噴出先端側に高速の往復運動（約４０回／秒）を生じることになる。このノズル５９の高速往復運動で、ノズル５９内を通過する圧縮空気に波動が生じ激しい衝撃波となってノズル５９から噴出されることになる。よって、ノズル５９から噴出される圧縮空気が、被洗浄物の奥方まで強い力で送り込まれることになる。
【００４０】
したがって、圧縮空気がより大きな噴出力でノズル５９から噴出されるとともに被洗浄物の奥方まで送り込まれることになるため、被洗浄物の水滴等を確実に吹き飛ばすことができ、被洗浄物を即座に乾燥させることができる。
【００４１】
加えて、連結部材５８の切換弁５８ａ，５８ｂをともに開いた状態として、洗浄ガン１６のレバー５６を把持部５５側に引くと、洗浄ガン１６が圧縮空気と水と洗剤とを混合させてノズル５９から噴出させる状態に切り換わることになる。すなわち、この状態では、コンプレッサ１２からの圧縮空気が洗浄ガン１６の混合室内に導入されるとともに、水タンク１３からの水が洗浄ガン１６の混合室に導入され、さらに洗剤タンク１４からの洗剤が洗浄ガン１６の混合室に導入されて、これら圧縮空気と水と洗剤が混合室内で混合されてノズル５９から泡状となって噴出する。そして、この噴出時に、ノズル５９を流れる泡の力で、ノズル５９が、その偏平部６６を偏平方向において湾曲させつつ噴出先端側に往復運動を生じることになる。このノズル５９の往復運動で、ノズル５９から噴出される泡がさらに空気中で細かい泡となって、被洗浄物に到達する。
【００４２】
これにより、水で濃度が調整された洗剤が圧縮空気と混合されて洗浄ガン１６のノズル５９から噴出する。
したがって、洗剤を水と混合させてその濃度を調整した状態で噴出させることができる。
【００４３】
ここで、上述したように、洗浄ガン１６には、ノズル５９の外側に該ノズル５９と略同心状をなしてガイド筒７３が設けられているため、ノズル５９がその偏平部６６を偏平方向において湾曲させつつ噴出先端側に往復運動を生じる際に、ガイド筒７３によって往復運動の範囲が決められることになる。
したがって、ノズル５９による噴出の範囲を設定することができる。
【００４４】
加えて、エアコンプレッサ１２、水タンク１３および洗剤タンク１４は、移動可能な台車１５に載置固定されているため、台車１５を移動させることで、洗浄場所を容易に変えることができる。
さらに、水タンク１３および洗剤タンク１４を、台車１５上のエアコンプレッサ１２の上側に並列配置させているため、全体を小型化することができる。
【００４５】
なお、上述の実施の形態では、把持部５５の後端部に配管５０および配管５３が連結される連結部材５８を取り付け、配管４６をガン本体５７のレバー５６に対し反対側に取り付ける場合を例にとり説明したが、把持部５５の後端部に配管４６を取り付け、配管５０および配管５３が連結される連結部材５８をガン本体５７のレバー５６に対し反対側に取り付けてもよい。
【００４６】
【発明の効果】
以上詳述したように、本発明の請求項１記載の洗浄装置によれば、洗剤を噴出させる際に、洗浄ガンを圧縮空気と洗剤とを混合させてノズルから噴出させる状態に切り換えると、洗浄ガンのノズルから洗剤が圧縮空気と混合され泡状となって噴出する。そして、この噴出時に、ノズルを流れる泡の力で、ノズルが、その偏平部を偏平方向において湾曲させつつ噴出先端側に往復運動を生じることになる。このノズルの往復運動で、ノズルから噴出される泡がさらに空気中で細かい泡となって、被洗浄物に到達する。したがって、洗剤を十分にかつ細かく泡立たせることができるため、最小限の洗剤で被洗浄物の汚れを確実に落とすことができる。
また、ノズルがその偏平部を偏平方向において湾曲させつつ噴出先端側に往復運動を生じる際に、ガイド筒によって往復運動の範囲が決められることになる。したがって、ノズルによる噴出の範囲を設定することができる。
そして、圧縮空気供給手段、水供給手段および洗剤供給手段が、移動可能な台車に載置されているため、台車を移動させることで、洗浄場所を容易に変えることができる。
さらに、水タンクおよび洗剤タンクを、台車上の圧縮空気供給手段の上側に並列配置させているため、全体を小型化することができる。
【００４７】
また、水を噴出させる際にも、洗浄ガンを圧縮空気と水とを混合させてノズルから噴出させる状態に切り換えると、洗浄ガンのノズルから水が圧縮空気と混合され霧状となって噴出する。そして、この噴出時に、ノズルを流れる水および圧縮空気の力で、ノズルが、その偏平部を偏平方向において湾曲させつつ噴出先端側に往復運動を生じることになる。このノズルの往復運動で、ノズルから噴出される水がさらに空気中で細かい霧状となって、被洗浄物に到達する。
したがって、水を十分にかつ細かく霧状にすることができるため、最小限の水で被洗浄物の洗剤を確実に洗い流すことができる。
【００４８】
本発明の請求項２記載の洗浄装置によれば、洗浄ガンを圧縮空気のみをノズルから噴出させる状態に切り換えると、洗浄ガンのノズルから圧縮空気が噴出する。そして、この噴出時に、ノズルを流れる圧縮空気の力で、ノズルが、その偏平部を偏平方向において湾曲させつつ噴出先端側に往復運動を生じることになる。このノズルの往復運動で、圧縮空気がより大きな噴出力でノズルから噴出されることになる。
したがって、圧縮空気がより大きな噴出力でノズルから噴出されることになるため、被洗浄物の水滴等を確実に吹き飛ばすことができ、被洗浄物を即座に乾燥させることができる。
【００４９】
本発明の請求項３記載の洗浄装置によれば、洗浄ガンを圧縮空気と水と洗剤とを混合させて噴出させる状態に切り換えると、水で濃度が調整された洗剤が圧縮空気と混合されて洗浄ガンのノズルから噴出する。
したがって、洗剤を水と混合させてその濃度を調整した状態で噴出させることができる。
【図面の簡単な説明】
【図１】  本発明の洗浄装置の一の実施の形態の正面図である。
【図２】  本発明の洗浄装置の一の実施の形態の側面図である。
【図３】  本発明の洗浄装置の一の実施の形態に用いられる洗浄ガンを示す一部を断面とした側面図である。
【図４】  本発明の洗浄装置の一の実施の形態に用いられる洗浄ガンを示す一部を断面とした平面図である。
【図５】  本発明の洗浄装置の一の実施の形態に用いられる洗浄ガンのノズルを示すもので、（ａ）は側断面図、（ｂ）は平断面図、（ｃ）は正断面図である。
【符号の説明】
１１  洗浄装置
１２  エアコンプレッサ
１３  水タンク
１４  洗剤タンク
１５  台車
１６  洗浄ガン
５９  ノズル
６６  偏平部
７３  ガイド筒
【図１】
0004162296.tif 000002
【図２】
0004162296.tif 000003
【図３】
0004162296.tif 000004
【図４】
0004162296.tif 000005
【図５】
0004162296.tif 000006